(57)【要約】  トップシートを有する吸収性物品（２４）は、少なくとも部分的に第１の個別の基材（６１０）と第３の個別の基材（６３０）との間に配置された第２の基材（６２０）であって、第１の個別の基材（６１０）は、トップシート（２４）の長手方向軸線（８０）を中心として、第３の個別の基材（６３０）に対向し、第１の個別の基材（６１０）及び第２の個別の基材（６２０）は、トップシート（２４）の長手方向軸線（８０）を中心として、第１の結合ゾーン（６１９）に結合されており、第３の個別の基材（６３０）及び第２の個別の基材（６２０）は、トップシート（２４）の長手方向軸線（８０）を中心として、第２の結合ゾーン（６２９）に結合されている、第２の基材（６２０）と、自由端縁部を有し、トップシート（２４）及び／又はバックシート（２５）に接合されている一対のレッグカフ（３４０１、３４０２）であって、自由端縁部間の距離は、第１の結合ゾーン（６１９）の内側縁部と第２の結合ゾーン（６２９）の内側縁部との距離よりも長くない、一対のレッグカフ（３４０１、３４０２）と、を備える。
2020509866.tif 000002
【特許請求の範囲】
【請求項１】
前縁部と後縁部とを備える吸収性物品であって、前記吸収性物品は、
ａ）長手方向軸線を有する多要素トップシートであって、前記トップシートは、
ｉ）内側横方向縁部を有する第１の個別の基材と、
ｉｉ）第２の個別の基材と、
ｉｉｉ）内側横方向縁部を有する第３の個別の基材と、を含み、
前記第２の個別の基材は、長手方向に少なくとも部分的に前記第１の個別の基材と前記第３の個別の基材との間に配置され、その結果、前記第１及び第２の個別の基材の前記内側横方向縁部は、前記第２の個別の基材と少なくとも部分的に重なり合い、
前記第２の個別の基材は、第１の結合ゾーンにおいて前記第１の個別の基材に接合され、前記第１の結合ゾーンは、内側縁部を有し、
前記第２の個別の基材は、第２の結合ゾーンにおいて前記第３の個別の基材に接合され、前記第２の結合ゾーンは、内側縁部を有する、
トップシートと、
ｂ）バックシートと、
ｃ）前記バックシートと前記トップシートとの間に少なくとも部分的にある吸収性コアと、
ｄ）前記トップシートの前記長手方向軸線の両側に、前記吸収性物品の前記前縁部と前記後縁部との間に少なくとも部分的に延びる一対のレッグカフであって、各レッグカフは、前記トップシート又は前記バックシートに接合され、第１のレッグカフ及び第２のレッグカフは、それぞれ長手方向に第１の自由端縁部と第２の自由端縁部とを有する、レッグカフと、を備え、
前記第１の自由端縁部と前記第２の自由端縁部との間の距離は、前記第１の結合ゾーンの前記内側縁部と前記第２の結合ゾーンの前記内側縁部との間の距離よりも長くない、
吸収性物品。
【請求項２】
前記第１のレッグカフの前記第１の自由端縁部と前記第２のレッグカフの前記第２の自由端縁部との間の距離は、前記第１の個別の基材の前記内側横方向縁部と前記第３の個別の基材の前記内側横方向縁部との間の距離よりも長くない、請求項１に記載の吸収性物品。
【請求項３】
前記第１の自由端縁部と前記第２の自由端縁部との間の前記距離は、前記第１の結合ゾーンの前記内側縁部と前記第２の結合ゾーンの前記内側縁部との間の前記距離よりも約８ｍｍ〜１２ｍｍ短い、請求項１に記載の吸収性物品。
【請求項４】
前記第２の個別の基材は、機械的結合、水流交絡、エンボス加工、接着剤結合、圧着結合、熱接合、超音波ボンディング、及びこれらの組み合わせから成る群から選択される方法によって前記第１の個別の基材に接合される、請求項１〜３のいずれか一項に記載の吸収性物品。
【請求項５】
前記第２の個別の基材の衣類に面する表面は、前記第１の個別の基材及び前記第３の個別の基材の着用者に面する表面に面する、請求項１〜４のいずれか一項に記載の吸収性物品。
【請求項６】
前記第１の個別の基材及び前記第３の個別の基材は、同一の基材である、請求項１〜５のいずれか一項に記載の吸収性物品。
【請求項７】
前記第１の個別の基材の坪量がＢＦであり、前記第２の個別の基材の坪量がＢＳであり、前記レッグカフの坪量がＢＬである場合、ＢＳとＢＳ＋ＢＬとの差は、約１５ｇｓｍ以下である、請求項１〜６のいずれか一項に記載の吸収性物品。
【請求項８】
前記第２の個別の基材の前記坪量は、約２０〜５０ｇｓｍであり、前記第１の個別の基材及び前記レッグカフの全坪量は、約２７〜４２ｇｓｍである、請求項１〜７のいずれか一項に記載の吸収性物品。
【請求項９】
前記第１の個別の基材の不透明度がＯＦであり、前記第２の個別の基材の不透明度がＯＳであり、前記レッグカフの不透明度がＯＬである場合、ＯＳとＯＦ＋ＯＬとの差は、約１０（２０）％以下である、請求項１〜８のいずれか一項に記載の吸収性物品。
【請求項１０】
前記吸収性物品は，前記トップシート上のローション領域に塗布されたローションを更に備える、請求項１〜９のいずれか一項に記載の吸収性物品。
【請求項１１】
前記ローション領域は、横方向縁部を有し、前記第１の結合領域の前記内側結合縁部と、前記ローション領域の、前記第１の結合領域の前記内側結合縁部に隣接する横方向縁部との間の距離は、少なくとも４ｍｍである、請求項１０に記載の吸収性物品。
【請求項１２】
前記第１の個別の基材の前記内側横方向縁部は、前記トップシートの前記長手方向軸線を中心として、前記第３の個別の基材の前記内側横方向縁部に対して実質的に対称である、請求項１〜１１のいずれか一項に記載の吸収性物品。
【請求項１３】
前記第２の個別の基材は、前記第１の個別の基材よりも疎水性である、請求項１〜１２のいずれか一項に記載の吸収性物品。
【請求項１４】
前記吸収性物品は、前記トップシートと前記吸収性コアとの間に追加層を更に備え、
前記追加層は、前記追加層の横方向縁部が前記第１の個別の基材の前記内側横方向縁部及び前記第２の個別の基材の前記内側横方向縁部の外側に位置するように配置される、吸水性物品。
【請求項１５】
前記第２の個別の基材は、複数の突出部、複数の凹み、及び複数の孔、及びこれらの組み合わせから成る群から選択される要素を含む、請求項１〜１４のいずれか一項に記載の吸収性物品。
【請求項１６】
前縁部と後縁部とを備える吸収性物品であって、前記吸収性物品は、
ａ）長手方向軸線を有する多要素トップシートであって、前記トップシートは、
ｉ）前記トップシートの外周の約８０％以上を形成する第１の個別の基材と、
ｉｉ）第２の個別の基材であって、前記第２の個別の基材の外周の約８０％以上が前記第１の個別の基材に接合される、第２の個別の基材と、
を含み、
前記第１の個別の基材は、第１の結合ゾーンにおいて前記第２の個別の基材に接合され、かつ前記長手方向軸線を中心として前記第１の結合ゾーンと反対側の第２の結合ゾーンに接合され、
前記トップシートは、前記トップシートの総面積の約７５％以上に基材の単一層と、前記トップシートの総面積の約２５％以下に基材の二重層とを有し、
前記基材の二重層は、前記第１の個別の基材と前記第２の個別の基材との間の重なりから形成される、
トップシートと、
ｂ）バックシートと、
ｃ）前記バックシートと前記トップシートとの間に少なくとも部分的にある吸収性コアと、
ｄ）前記トップシートの前記長手方向軸線の両側に、前記吸収性物品の前記前縁部と前記後縁部との間に少なくとも部分的に延びる一対のレッグカフであって、各レッグカフは、前記トップシート又は前記バックシートに接合され、第１のレッグカフ及び第２のレッグカフは、それぞれ長手方向に第１の自由端縁部と第２の自由端縁部とを有する、レッグカフと、
を備え、
前記第１の自由端縁部と前記第２の自由端縁部との間の距離は、前記第１の結合ゾーンの内側縁部と前記第２の結合ゾーンの内側縁部との間の距離よりも長くない、
吸収性物品。
【請求項１７】
前記第１の個別の基材は、前記第２の個別の基材と重なり合う第１及び第２の内側横方向縁部を有し、
前記第１のレッグカフの前記第１の自由端縁部と前記第２のレッグカフの前記第２の自由端縁部との間の前記距離は、前記第１の個別の基材の前記第１の内側横方向縁部と前記第２の内側横方向縁部との間の距離よりも短い、請求項１６に記載の吸収性物品。
【請求項１８】
前記第２の個別の基材は、複数の突出部、複数の凹み、及び複数の孔、及びこれらの組み合わせから成る群から選択される要素を含む、請求項１６に記載の吸収性物品。
【請求項１９】
前記二重領域は、約８〜２０ｍｍの距離を有する、請求項１６〜１８のいずれか一項に記載の吸収性物品。
【発明の詳細な説明】
【技術分野】
【０００１】
本発明は全般的に、多要素トップシートとレッグカフとを備える吸収性物品に関する。
【背景技術】
【０００２】
乳児用使い捨ておむつ、幼児用トレーニングパンツ、成人用失禁下着、及び／又は生理用ナプキンなどの個人衛生用吸収性物品は、排泄物、特に大量の尿、軟液状糞便、及び／又は経血（まとめて「流体」とする）を吸収して収容するように設計されている。これらの吸収性物品は、異なる機能を提供するいくつかの層、所望の場合には、層（例えば、捕捉層、分配層など）の中でもとりわけ、例えば、トップシート、バックシート、及びトップシートとバックシートとの間に配置された吸収性コア、並びにレッグカフなどを含み得る。
【０００３】
トップシートは、概して液体透過性であり、身体から排泄される流体を受容し、流体を捕捉システム、分配システム、及び／又は吸収性コアに向かって方向付ける際に役立つように構成されている。一般的に、トップシートの重要な品質としては、材料の高い液体透過性及び柔軟性、並びに優しい肌触りが挙げられる。加えて、着用者が、排尿中／排尿後に乾燥しており、かつ肌が快適だと感じるように、流体が吸収性物品によって吸収される前にトップシート上に存在する時間量が短いことがトップシートには期待される。
【０００４】
所望の品質を改善するために、トップシート用の材料を更に加工することができる。例えば、トップシート上での長時間の流体滞留が原因の皮膚の濡れた感触の問題を解決するための手法のうちの１つは、トップシートに、例えば、排尿事象中の皮膚／流体接触、及び／又は皮膚／流体接触時間を更に減らす三次元基材を使用することである。三次元基材材料などのトップシートのためのより好ましい材料は、従来のトップシート材料と比較して比較的高価であり得るため、より安価な不織布基材の外側トップシートの間に挟まれたより好ましい基材の中央トップシートを有するトップシートが提案される。
【０００５】
マルチピーストップシートの存在は、中央トップシート又は外側トップシートのオーバーハングの結合縁部及び自由縁部がある結合領域が存在するため、全体的な製品感触を考慮すると、顧客が好まない場合がある。加えて、中央トップシートと外側トップシートとを接合する結合により、皮膚への柔らかさがより少ないか、又は皮膚への柔らかな感触がより少なくなり得る。
【０００６】
したがって、流体をより効率的に取り扱う基材を使用し、１ピースのような見た目及び皮膚への柔らかさを損なうことなく、トップシート上に流体がたまるのを低減する一方で、このような材料を用いることによる追加費用を制限する利点を得ることができることに引き続き関心が寄せられている。
【発明の概要】
【課題を解決するための手段】
【０００７】
本発明は、少なくとも部分的に第１の個別の基材と第３の個別の基材との間に配置された第２の基材を含むトップシートであって、第１の個別の基材は、トップシートの長手方向軸線を中心として、第３の個別の基材に対向しており、第１の個別の基材及び第２の個別の基材は、トップシートの長手方向軸線を中心として、第１の結合ゾーンに結合されており、第３の個別の基材及び第２の個別の基材は、トップシートの長手方向軸線を中心として、第２の結合ゾーンに結合されている、トップシートと、自由端縁部を有し、トップシート及び／又はバックシートに接合されている一対のレッグカフであって、自由端縁部間の距離は、第１の結合ゾーンの内側縁部と第２の結合ゾーンの内側縁部との距離よりも長くない、一対のレッグカフと、を有する吸収性物品に関する。
【０００８】
本発明はまた、トップシートであって、トップシートの外周の約８０％以上を形成する第１の個別の基材と、第２の個別の基材であって、第２の個別の基材の外周の約８０％以上が第１の個別の基材に接合される、第２の個別の基材と、を含む、トップシートと、一対のレッグカフであって、レッグカフのそれぞれは、自由端縁部を有し、トップシート及び／又はバックシートに接合されている、一対のレッグカフであって、自由端縁部間の距離は、第１の結合ゾーンの内側縁部と第２の結合ゾーンの内側縁部との距離よりも長くない、一対のレッグカフと、を有する吸収性物品に関する。
【図面の簡単な説明】
【０００９】
本開示の上記及び他の特徴並びに利点、更にそれらを実現する様式は、本開示の非限定的な形態の以下の説明を添付の図面と併せて参照することによって、より明らかになり、本開示自体の理解が深まるであろう。
【図１】本開示による、着用者に面する表面が図を見る人に面しており、いくつかの層を部分的に切り欠いた、吸収性物品の上面図である。
【図２】本開示による、図１の線２−２の周囲で切り取った吸収性物品の断面図である。
【図３】本開示による、多要素トップシート及びレッグカフの上面図の概略図である。
【図４】図３の断面図の概略図である。
【図５】図３の断面図の概略図である。
【図６】本開示による、多要素トップシート及びレッグカフの上面図の概略図である。
【図７】図６の断面図の概略図である。
【図８】本開示による、多要素トップシート及びレッグカフの上面図の概略図である。
【図９】図８の断面図の概略図である。
【図１０】図８の断面図の概略図である。
【図１１】本開示による、多要素トップシート及びレッグカフの上面図の概略図である。
【図１２】本開示による、着用者に面する表面が図を見る人に面しており、多要素トップシート及びレッグカフを含む吸収性物品の上面図である。
【図１３Ａ】本開示による、図１２の吸収性物品の一部分の拡大上面図である。
【図１３Ｂ】本開示による、図１２の吸収性物品の一部分の拡大上面図である。
【発明を実施するための形態】
【００１０】
本明細書に開示する、多要素トップシート及びレッグカフを有する吸収性物品の構造、機能、製造、及び使用の原理についての全体的な理解を提供するため、本開示の様々な非限定的な形態について以下に記載する。これらの非限定的な実施形態の１つ以上の例が、添付図面に示されている。当業者であれば、本明細書に記載され、かつ添付の図面で例示される吸収性物品は、非限定的な実施形態であり、本開示の様々な非限定的な形態の範囲は、特許請求の範囲によってのみ定義されることを理解するであろう。１つの非限定的な形態に関して図示又は説明される特徴は、他の非限定的な形態の特徴と組み合わせることができる。そのような修正及び変形は、本開示の範囲内に含まれるものとする。
【００１１】
本明細書で使用するとき、用語「吸収性物品」は、乳児、小児、又は大人用おむつ、成人用失禁製品、トレーニングパンツ、生理用ナプキンなどの、着用者の身体に対して、又は着用者の身体に近接して配置されて、身体から排出される様々な流体（尿、経血、及び／又は軟液状糞便）、又は身体排泄物（一般に固形糞便）を吸収して収容する使い捨てデバイスを指す。典型的には、これらの吸収性物品は、トップシート、バックシート、吸収性コア、レッグカフ、任意で捕捉システム、及び／又は分配システム（１つ又はいくつかの層からなり得る）、並びに典型的には他の構成要素を備え、吸収性コアは通常、バックシートと捕捉及び／又は分配システムとの間、あるいはトップシートとバックシートとの間に、少なくとも部分的に配置される。本開示の多要素トップシート及びレッグカフを含む吸収性物品について、以下の説明及び図面において、テープ式おむつの１つ以上の構成要素の形態で更に説明することにする。しかしながら、この説明におけるいかなる内容も、特許請求の範囲を制限するものと見なされるべきではない。したがって、本開示は、任意の好適な形態の吸収性物品（例えば、おむつ、トレーニングパンツ、成人用失禁製品、生理用ナプキン）に適用される。
【００１２】
本明細書で使用するとき、用語「不織布ウェブ」とは、摩擦、及び／又は粘着、及び／又は接着により結合された、一方向又は無作為に配向された繊維から製造されたシート、ウェブ、又はバットを意味し、紙、及び追加のニードル加工の有無を問わず、織られた、編まれた、タフト加工された、結束糸若しくはフィラメントを組み込んだステッチボンド、又は湿式粉砕によってフェルト加工された製品を含まない。繊維は、天然又は人工物由来であってもよく、ステープル若しくは連続フィラメントであっても、又はその場で形成されたものであってもよい。市販の繊維は、約０．００１ｍｍ未満〜約０．２ｍｍ超の範囲の直径を有することがあり、短繊維（ステープルファイバ又はチョップドファイバとして知られる）、連続単繊維（フィラメント又はモノフィラメント）、連続フィラメントの無撚束（粗麻）、及び連続フィラメントの撚り束（紡績糸）など、いくつかの異なる形態で提供されることがある。不織布ウェブは、メルトブロー法、スパンボンド法、溶媒紡糸法、電界紡糸法、カーディング法、及びエアレイイング法などの多くのプロセスによって形成され得る。不織布ウェブの坪量は、通常、グラム毎平方メートル（ｇ／ｍ２又はｇｓｍ）で表される。
【００１３】
本明細書で使用する用語「接合された」、「結合された」、又は「取り付けられた」とは、ある要素を直接別の要素に固着させることによって、ある要素がもう一方の要素に直接固定される構成、及びある要素を中間部材に固着させて、続いてその中間部材をもう一方の要素に固着させることによって、ある要素がもう一方の要素に間接的に固定される構成を包含する。
【００１４】
本明細書で使用するとき、用語「機械方向」又は「ＭＤ」は、基材が製造される際の基材の移動方向と実質的に平行な方向である。「横断方向」又は「ＣＤ」は、ＭＤに及び基材によって概ね画定された平面において実質的に垂直な方向である。
【００１５】
吸収性物品の概説
おむつ２０の形態の例示的な吸収性物品を図１及び図２に示す。図１は、例示的なおむつ２０を平らに広げた状態で示した平面図であり、おむつ２０の構造をより明確に示すためにその構造の一部を切り欠いている。図１のおむつ２０の着用者に面する表面は、図を見る人に面している。このおむつ２０は、例示のみの目的のためだけに示されており、本発明の吸収性物品は、様々な種類の吸収性物品のいずれかであり得る。
【００１６】
吸収性物品２０は、液体透過性のトップシート２４、液体不透過性のバックシート２５、少なくとも部分的にトップシート２４とバックシート２５との間に配置された吸収性コア２８、及びレッグカフ３４を備え得る。吸収性物品はまた、捕捉及び／又は分配システム（「acquisition and/or distribution system、ＡＤＳ」）５０を備えてもよく、この捕捉及び／又は分配システム５０は、示される例では分配層５４と捕捉層５２とを備えており、これらについては下記で更に詳細に説明する。また、吸収性物品は、吸収性物品のシャーシに、（典型的にはトップシート及び／又はバックシートを介して）接合され、おむつのシャーシに対して実質的に平坦な弾性体３３を含む、弾性ガスケットカフ３２を備え得る。
【００１７】
これらの図はまた、タブ４２を備える締着システムなどの典型的なテープ式おむつ構成要素を示し、タブ４２は、物品の後縁部に向かって取り付けられ、吸収性物品の前方でランディングゾーン４４と協働する。吸収性物品はまた、例えば、後側弾性腰部機構、前側弾性腰部機構、横方向バリアカフ（複数可）、及び／又はローションアプリケーションなど、図示されていない他の典型的な要素を含んでもよい。
【００１８】
吸収性物品２０は、前側腰部縁部１０、前側腰部縁部１０と長手方向に対向する後側腰部縁部１２、第１の側縁部３、及び第１の側縁部３と横方向に対向する第２の側縁部４を備える。前側腰部縁部１０は、着用時にユーザーの前面に向かって配置されるように意図された物品の縁部であり、後側腰部縁部１２は対向する縁部である。吸収性物品は、図１のように吸収性物品を平らに配置して物品を上方から見た場合に、物品の前側腰部縁部１０の横方向中点から後側腰部縁部１２の横方向中点まで延在して、長手方向軸線８０を中心に実質的に対称的な２つの半体に物品を分割する、長手方向軸線８０を有し得る。吸収性物品はまた、第１の側縁部３の長手方向中点から第２の側縁部４の長手方向中点まで延在する横方向軸線９０を有し得る。物品の長さＬは、長手方向軸線８０に沿った、前側腰部縁部１０から後側腰部縁部１２までの長さとして測定され得る。物品の幅Ｗは、横方向軸線９０に沿って、第１の側縁部３から第２の側縁部４まで測定され得る。本物品は、本明細書では、物品２０の前縁部１０から開始してＬの５分の２（２／５）の距離で長手方向軸線上に配置された点として画定される股部点Ｃを含み得る。本物品は、前側腰部領域５、後側腰部領域６、及び股部領域７を備え得る。前側腰部領域５、後側腰部領域６、及び股部領域７は、それぞれ吸収性物品の長手方向長さＬの３分の１を画定する。
【００１９】
トップシート２４、バックシート２５、吸収性コア２８、及び他の物品の構成要素は、吸収性物品製造産業において既知の糊剤接着、熱エンボス加工、又は超音波ボンディングによって種々の構成に組み付けられてもよい。
【００２０】
吸収性コア２８は、超吸収性ポリマーと、超吸収性ポリマーを封入コアラップとを含む吸収性材料を含んでもよい。コアラップは、通常、コアの上面及び下面について、２つの材料、基材、又は不織布材料１６及び１６’を備えてもよい。コアは、図１においては、４つのチャネル２６、２６’、及び２７、２７’として図示される、１つ以上のチャネルを備え得る。チャネル２６、２６’、２７、及び２７’は任意選択的な機構である。それどころか、コアはチャネルを全く有さずともよく、又は任意の数のチャネルを有してもよい。
【００２１】
例示的吸収性物品のこれらの及びその他の構成要素を、以下でより詳細に説明する。
【００２２】
トップシート
トップシート２４は、着用者の皮膚に接触して流体を受容する吸収性物品の一部であり得る。当業者には知られているように、トップシート２４は、バックシート２５、コア２８、及び／又は任意のその他の層に接合され得る。通常は、トップシート２４とバックシート２５とは、いくつかの箇所（例えば、吸収性物品の周辺部又はその付近）で互いに直接接合され、また他の箇所では、トップシートとバックシートとを物品２０の１つ以上の他の要素に直接接合することによって、間接的に一緒に接合される。
【００２３】
トップシート２４は、着用者の皮膚に対して適合性があり、柔らかい感触であり、かつ、非刺激性であり得る。更に、トップシート２４の一部分又は全体は液体透過性であって、その厚みを通して液体を容易に浸透させることができる。好適なトップシートは、例えば、多孔質発泡体、網状発泡体、孔あきプラスチックフィルム、又は天然繊維（例えば、木材繊維又は綿繊維）、合成繊維若しくはフィラメント、若しくは天然繊維と合成繊維との組み合わせの織布材料若しくは不織布材料などの、広範囲の材料から製造されてもよい。
【００２４】
トップシート２４の任意の部分は、当該技術分野で一般に開示されているローション、スキンケア組成物、及び／又は抗菌剤でコーティングしてもよい。更に、トップシート２４、バックシート２５、又はトップシート若しくはバックシートの任意の部分は、より布様の外観をもたらすために、エンボス加工及び／又はつや消し仕上げしてもよい。
【００２５】
バックシート
バックシート２５は、概して、吸収性コア２８の衣類に面する表面に隣接して配置され、その中に吸収して封じ込められた流体及び排泄物がベッドシーツ及び下着などの物品を汚すのを防止する又は少なくとも阻害する、吸収性物品２０の部分である。バックシート２５は典型的には、流体（例えば、尿）に対して不透過性、又は少なくとも実質的に不透過性である。バックシートは、例えば、約０．０１２ｍｍ〜約０．０５１ｍｍの厚さを有する熱可塑性フィルムのような薄いプラスチックフィルムであってもよく、これを含んでもよい。他の好適なバックシート材料は、流体がバックシート２５を通過することを防止するか又は少なくとも妨げる一方で、吸収性物品２０から蒸気を逃がすことを可能とする通気性材料を含むことができる。代表的な通気性材料は、織布ウェブ、不織布ウェブ、フィルム被覆された不織布ウェブなどの複合材料、微小孔性フィルムなどの材料を含んでもよい。
【００２６】
バックシート２５は、当業者に既知の任意の取り付け方法によって、トップシート２４、吸収性コア２８、及び／又は吸収性物品２０の任意の他の要素に接合され得る。好適な取り付け方法が、トップシート２４を物品２０の他の要素に接合する方法に関連して上記で説明されている。
【００２７】
外側カバー２３は、吸収性物品の柔らかい、衣類に面する表面を形成するため、バックシート２５の少なくとも一部分又は全体を被覆し得る。外側カバー２３は、１つ以上の不織布材料から形成され得る。外側カバー２３は、機械的結合、接着剤結合、又は他の好適な取り付け方法によって、バックシート２５の少なくとも一部分に接合され得る。
【００２８】
吸収性コア
本明細書で使用するとき、用語「吸収性コア」とは、吸収能力の大半を有し、吸収性材料、及び吸収性材料を封入するコアラップ又はコアバッグを備える吸収性物品の構成要素を指す。用語「吸収性コア」は、捕捉及び／又は分配システム、あるいは、コアラップ若しくはコアバッグの一体部分のいずれでもない物品、又はコアラップ若しくはコアバッグのいずれの中にも配置されない物品の任意の他の構成要素も含まない。吸収性コアは、上記のコアラップ、吸収性材料（例えば、超吸収性ポリマー）、及び糊を備えるか、それらからから本質的に成るか、又はそれらから成る場合がある。
【００２９】
吸収性コア２８は、コアラップ内に封入された、大量の超吸収性ポリマー（本明細書では「ＳＡＰ」と略す）を有する吸収性材料を含み得る。ＳＡＰ含有量は、コアラップに含有される吸収性材料の７０重量％〜１００重量％、又は少なくとも７０重量％、７５重量％、８０重量％、８５重量％、９０重量％、９５重量％、９９重量％、若しくは１００重量％を表し得る。コアラップは、吸収性コア内のＳＡＰの百分率を評価する目的で、吸収性材料とは見なされない。また、コアは、ＳＡＰを有する又は有さないエアフェルト又はセルロース繊維も含み得る。
【００３０】
「吸収性材料」とは、ＳＡＰ、セルロース繊維並びに合成繊維など、何らかの吸収特性又は液体保持特性を有する材料を意味する。通常、吸収性コアの作製に使用される糊は、吸収特性を全く又はほとんど有せず、吸収性材料とは見なされない。ＳＡＰ含有量は、コアラップ内に収容された吸収性材料の８０重量％超、例えば少なくとも８５重量％、少なくとも９０重量％、少なくとも９５重量％、少なくとも９９重量％、更には最大で１００重量％となり得る。これにより、通常、４０％〜６０％のＳＡＰ及び高含量のセルロース繊維を含む従来のコアと比較して、相対的に薄いコアが得られる。従来のコアもまた、本開示の範囲内である。吸収性材料は、特に、天然のセルロース繊維又は合成繊維を１５重量％未満、又は１０重量％未満、５重量％未満、３重量％未満、２重量％未満、１重量％未満含んでもよく、あるいは更には天然のセルロース繊維及び／又は合成繊維を実質的に含まなくともよい。
【００３１】
図１及び図２を参照すると、コア２８は、吸収性物品２０の長手方向軸線８０に実質的に対応する長手方向軸線を有してもよい。特定の吸収性物品では前側でより高い吸収性が求められることがあるので、吸収性材料は、後側に向かってよりも前側に向かって、より多くの量で分配されてもよい。コアラップは、２つの不織布材料、積層体、又は他の材料１６、１６’によって形成されてもよく、それらは、吸収性コア２８の２つの長手方向側部に沿って少なくとも部分的に封止されてもよい。コアラップは、吸収性コアラップから吸収性材料が実質的に漏出しないように、前側部、及び後側部、及び２つの長手方向側部に沿って少なくとも部分的に封止され得る。第１の材料１６は、第２の材料１６’を少なくとも部分的に包囲してコアラップを形成し得る。第１の材料１６は、第２の材料の１６’のうち、第１及び第２の長手方向側部に近接した一部分を包囲してもよい。
【００３２】
吸収性コア２８は、例えば、コアラップ内でＳＡＰが動かないようにするのを助けるために、かつ／又は、特にコアラップが２つ以上の基材から作製される場合にコアラップの一体性を確保するために、接着剤を含み得る。接着剤は、例えばＨ．Ｂ．Ｆｕｌｌｅｒから供給されるホットメルト接着剤であってもよい。コアラップは、吸収性材料をその内部に収容するために厳密に必要とされるよりも広い面積に延在してよい。
【００３３】
吸収性材料は、コアラップ内に存在する連続層であってもよい。あるいは、吸収性材料は、コアラップ内に封入された吸収性材料の個別のポケット又はストリップからなってもよい。第１の事例では、吸収性材料は、例えば、吸収性材料の単一の連続層を適用することによって得られてもよい。吸収性コア２８はまた、吸収性材料６０の層を材料１６又は１６’に少なくとも部分的に結合する、繊維状の熱可塑性接着剤材料を含んでよい。繊維層に使用される熱可塑性接着剤は、ＳＡＰが膨潤するにつれて、繊維によってＳＡＰ層上に形成されたウェブを伸長させることができるような、エラストマー特性を有してもよい。
【００３４】
吸収性コアの上面から見たときに、コアラップ内の吸収性材料６０によって形成される層の周辺部によって画定され得る吸収性材料堆積領域は、様々な形状、特に、いわゆる「ドッグボーン」形状又は「砂時計」形状を有してもよく、これは、コアの中央領域又は「股部」領域に向かって幅に沿って先細になっていることを示す。このように、吸収性材料堆積領域は、図１に図示されるように、吸収性物品の股部領域内に配置されるように意図されたコアの領域で比較的狭い幅を有し得る。吸収性材料堆積領域は、物品８０の長手方向に少なくとも部分的に向けられた（すなわち、長手方向のベクトル成分を有する）少なくとも１つのチャネル２６を備え得る。レッグカフ
【００３５】
吸収性物品は、一対のレッグカフ３４を備え得る。各バリアレッグカフは、これが吸収性物品の着用者に面する表面から上方に延在して、およそ着用者の胴体と脚部との接合部において流体及び他の排泄物の改善された収容を提供し得るように、物品に結合された材料の小片によって形成され得る。レッグカフは、トップシート２４及び／又はバックシート２５と直接的又は間接的に接合された近位縁部６４と、着用者の皮膚に接触して着用者の皮膚との封止を形成するように意図された自由端縁部６６と、によって境界を定められてもよい。レッグカフ３４は、長手方向軸線８０の両側面上で、吸収性物品の前側腰部縁部１０と後側腰部縁部１２との間に少なくとも部分的に延在し、かつ少なくとも股部点（Ｃ）又は股部領域の高さに存在する。レッグカフは、糊剤接着、溶融結合、又は他の好適な結合プロセスの組み合わせによってなされ得るカフ結合部６５によって、近位縁部６４で物品のシャーシと接合され得る。近位縁部６４におけるカフ結合部６５は、連続的又は断続的であってもよい。レッグカフの隆起区間と最も近接するカフ結合部６５は、レッグカフの立ち上がり区間の近位縁部６４の境界を定める。
【００３６】
レッグカフは、トップシート２４又はバックシート２５と一体であってもよく、あるいは物品のシャーシに接合された別個の材料であってもよい。各レッグカフ３４は、より良好な封止を提供するため、自由端縁部６６付近に１つ、２つ、又はそれ以上の弾性ストリング３５を備え得る。
【００３７】
レッグカフ３４に加えて、物品は、吸収性物品のシャーシ、特にトップシート２４及び／又はバックシート２５に接合され、かつバリアレッグカフに対して外方に配置された、ガスケットカフ３２を備え得る。ガスケットカフ３２は、着用者の大腿の周りにより効果的な封止をもたらすことができる。各ガスケットレッグカフは、吸収性物品のシャーシ内のトップシート２４とバックシート２５との間の脚部開口部の領域に、１つ以上の弾性ストリング又は弾性要素３３を備え得る。レッグカフ及び／又はガスケットカフの全部又は一部分を、ローション又は別のスキンケア組成物で処理してもよい。
【００３８】
捕捉−分配システム
本開示の吸収性物品は、捕捉−分配層又はシステム５０（「ＡＤＳ」）を備え得る。ＡＤＳの一機能は、流体のうちの１つ以上を迅速に捕捉して、これらを効率的に吸収性コアに分配することである。ＡＤＳは、１つ、２つ、又はそれ以上の層を備えてもよく、これらの層は一体の層を形成してもよく、あるいは、互いに取り付けられ得る個別の層として留まっていてもよい。１つの例において、ＡＤＳは、２つの層、つまり吸収性コアとトップシートとの間に配置される分配層５４及び捕捉層５２を備え得るが、本開示はこのようには限定されない。ＳＡＰは流体の捕捉及び分配を緩慢にし得るため、ＡＤＳはＳＡＰを含み得る。
【００３９】
ＡＤＳ５０は分配層５４を備え得る。ＡＤＳの分配層は、少なくとも５０重量％の架橋セルロース繊維を含み得る。架橋セルロース繊維は、捲縮、加撚、若しくはカールされてもよく、又は捲縮、加撚、及びカールを含むこれらの組み合わせであってもよい。このタイプの材料が、米国特許出願公開第２００８／０３１２６２２（Ａ１）号（Ｈｕｎｄｏｒｆ）に開示されている。
【００４０】
ＡＤＳ５０は、捕捉層５２を備え得る。捕捉層は、分配層５４とトップシート２４との間に配置設され得る。捕捉層５２は、スパンボンド層、メルトブロー層、及び更なるスパンボンド層、あるいはその代わりにカーディング加工された短繊維の化学結合不織布を含む、親水性ＳＭＳ又はＳＭＭＳ材料などの不織布材料であってもよく、又はそれを備えてもよい。不織布材料は、ラテックス結合されてもよい。
【００４１】
一実施例では、ＡＤＳが提供されなくてもよく、あるいは分配層のみ、又は捕捉層のみなど、ＡＤＳの一方のみの層が提供されてもよい。
【００４２】
締着システム
吸収性物品は、締着システムを含んでもよい。締着システムは、テープ式おむつでは典型的であるように、吸収性物品の外周の周りに横方向の張力を与えて、吸収性物品を着用者に対して保持するために使用され得る。締着システムは、例えば、テープタブ、フックとループ締着構成要素、タブ及びスロットのような係合締着具、バックル、ボタン、スナップ、及び／又は雌雄同体締着構成要素などの締着具を含んでよいが、他の任意の好適な締着機構も、本開示の範囲内である。通常、ランディングゾーン４４は、締着具を着脱自在に取り付けられるように、前側腰部領域５の衣類に面する表面上に提供される。
【００４３】
前耳部及び後耳部
吸収性物品は、前耳部４６と後耳部４０とを備え得る。耳部は、トップシート２４及び／又はバックシート２６からサイドパネルとして形成されるような、シャーシと一体になった部分であり得る。あるいは、図１に示すように、耳部は、糊剤接着、熱エンボス加工、及び／又は圧着結合により取り付けられる別個の要素であってもよい。タブ４２をランディングゾーン４４に容易に取り付け、テープ式おむつを着用者の腰部周りの定位置に保つために、後耳部４０は伸長可能であり得る。後耳部４０は更に、弾性の耳部によって吸収性物品の側部が伸縮させることができるので、最初に吸収性物品を着用者にぴったりとフィットさせ、続いて、吸収性物品が流体又は他の身体排泄物で充填されてからかなりの時間が過ぎたときに、着用時間全体を通じてこのフィットを維持することにより、より快適で、体型に合ったフィットをもたらすように、弾性又は延在可能であってもよい。
【００４４】
多要素トップシート
本発明による吸収性物品は、第１の個別の基材と、第１の個別の基材に接合された第２の個別の基材と、を含む多要素トップシートを備える。第２の個別の基材は、吸収性物品の長手方向軸線及び横方向軸線の少なくとも一部にわたって位置し得る。本発明における多要素トップシートは、２つの個別の基材が重なり合っている多要素トップシートの領域が基材の二重層として画定され、基材の二重層ではない多要素の領域が単一層基材として画定される場合、二重層基材と単一層基材とを有する。
【００４５】
一実施形態では、本発明における多要素トップシートは、長手方向に内側横方向縁部を有する第１の個別の基材と、第２の個別の基材と、長手方向に内側横方向縁部を有する第３の個別の基材と、を含み、第２の個別の基材は、少なくとも部分的に第１の個別の基材と第３の個別の基材との間に配置され、第１の個別の基材は、トップシートの長手方向軸線を中心として、第３の個別の基材に対向している。
【００４６】
他の実施形態では、多要素トップシートは、トップシートの外周の約８０％以上を形成する第１の個別の基材と、第２の個別の基材であって、第２の個別の基材の外周の約８０％以上が第１の個別の基材に接合される、第２の個別の基材と、を含み、トップシートは、トップシートの総面積の約７５％以上の基材の単一層と、トップシートの総面積の約２５％以下の基材の二重層とを有する。
【００４７】
本発明の多要素トップシートにおいて、第２の個別の基材は、三次元の液体透過性基材であり得る。本開示の三次元の液体透過性基材は、複数の突出部、複数の凹み、複数の孔、及びこれらの組み合わせから成る群から選択される要素を含む基材を備え得る。
【００４８】
一例として、三次元基材は、第１のｚ方向高さを有する複数の突出部と、第２のｚ方向高さを有するランド領域と、任意で複数の孔とを備え得る。基材はまた、国際公開第２０１５／１３４３７１号に開示されるように、少なくとも第３のｚ方向高さを有する少なくとも第３の要素を有してよい。かかる構造により、流体は着用者の皮膚から離れて速やかに移動し得、着用者の皮膚と接触している、第１のｚ方向高さを有する第１の要素から主として離れ、それによって、着用者に、より乾燥したように感じさせる。流体は、重力によって、又は毛細管勾配によって第２のｚ方向高さを有する第２の要素内に流入し、かつ／又は孔に流入し、孔を通って流れてよく、それにより流体は、吸収性物品に吸収される。
【００４９】
本開示の多要素トップシート、及び多要素トップシートを含む吸収性物品は、当該技術分野において既知の任意の好適な方法により作製されてよい。
【００５０】
図３〜図５は、多要素トップシート６００並びにレッグカフ３４０１及び３４０２を有する本発明の吸収性物品の実施形態の上面概略図及び断面概略図を示す。本発明の例示及び説明の便宜上、多要素トップシート及びレッグカフの一部のみが例示され、吸収性物品の他の要素及び／又は層は省略されている。多要素トップシート６００は、第１の個別の基材６１０、第２の個別の基材６２０、及び第３の個別の基材６３０を含んでもよい。多要素トップシート６００は、トップシートのより長い全体寸法を延びる長手方向軸線６０１、及び長手方向軸線に垂直に延びる横方向軸線６０２を有する。多要素トップシート６００は、第１の長手方向縁部６０３と第２の長手方向縁部６０４と第１の横方向縁部６０５と第２の横方向縁部６０６とによって画定される外周全体を有し得る。第１の個別の基材は、第１の長手方向縁部６１１と第２の長手方向縁部６１２と外側横方向縁部６１３と内側横方向縁部６１４とによって画定される周囲を有し得る。第２の個別の基材は、第１の長手方向縁部６２１と第２の長手方向縁部６２２と第１の横方向縁部６２３と第２の横方向縁部６２４とによって画定される周囲を有し得る。第３の個別の基材は、第１の長手方向縁部６３１と第２の長手方向縁部６３２と内側横方向縁部６３３と外側横方向縁部６３４とによって画定される周囲を有し得る。図３〜図５は、レッグカフ３４０１及び３４０２の横方向縁部がトップシート６００の第１の横方向縁部６０５及び第２の横方向縁部６０６にそれぞれ重なり合っていることを示しているが、これは、レッグカフ３４０１及び３４０２の横方向縁部がトップシート６００の第１の横方向縁部６０５及び第２の横方向縁部６０６にそれぞれ重なり合わなければいけないこと意味するものではない。レッグカフの横方向縁部は、トップシートの横方向縁部の外側に延在してもよい。
【００５１】
図３〜図５の実施形態に示されるように、第２の個別の基材６２０は、（長手方向軸線６０１と同一の方向に延びる）長手方向に沿って、少なくとも部分的に第１の個別の基材６１０と第３の個別の基材６３０との間に配置され得る。
【００５２】
いくつかの実施形態では、第１の個別の基材６１０、第２の個別の基材６２０、及び／又は第３の個別の基材６３０の第１及び／又は第２の長手方向縁部は、多要素トップシート６００の長手方向縁部６０３、６０４と共通になる。
【００５３】
いくつかの実施形態では、第１の個別の基材６１０の外側横方向縁部及び／又は第２の個別の基材６２０の第１の横方向縁部、並びに第３の個別の基材６３０の外側横方向縁部及び／又は第２の個別の基材６２０の第２の横方向縁部は、多要素トップシート６００の横方向縁部６０５、６０６とそれぞれ共通になる。
【００５４】
図３は、本明細書で詳述される多要素トップシート６００及びレッグカフ３４０１、３４０２を有する本発明の吸収性物品の実施形態の身体に面する側面の上面図を概略的に示す。図４及び図５は、異なる実施形態における、線６０７で取られた図３の断面図を示す。図３〜図５に示されるように、第２の基材６２０は、長手方向に沿って少なくとも部分的に第１の個別の基材６１０と第３の個別の基材６３０との間に配置されている。第２の基材６２０は、第１の結合ゾーン６１９において第１の個別の基材６１０に接合され、かつ第２の結合ゾーン６２９において第３の個別の基材６３０に接合される。第１及び第２の結合ゾーンは、第１の個別の基材６１０の内側横方向縁部６１４及び第３の個別の基材６３０の内側横方向縁部６３３にそれぞれ近接する内側横方向縁部を有する。結合ゾーン６１９、６２９が複数の結合部を有する場合、結合ゾーンの内側横方向縁部は、第１又は第３の個別の基材の内側横方向縁部に最も近接する結合部の内側横方向縁部を意味する。結合ゾーン６１９、６２９は、２つの個別の基材が一緒に接合される領域を意味する。第１の結合ゾーン６１９及び第２の結合ゾーン６２９の幅は、それぞれ、以下に説明する第１の二重層領域６４０及び第２の二重層領域６５０の幅と同一か又は短くてもよい。個別の基材の接合は、機械的結合、水流交絡、エンボス加工、接着剤結合、圧着結合、熱接合、超音波ボンディング、又は複数の個別の基材を接合する他の方法が含まれるが、これらに限定されない、当該技術分野において既知の任意の方法によって作製されてもよい。図３〜図５の非限定的な実施形態は、機械的結合６４１、６５１によって接合された基材を示している。
【００５５】
第１の個別の基材６１０と第２の個別の基材６２０との間の重なりは、上面図から、第２の個別の基材６２０の第１の横方向縁部６２３、第１の個別の基材６１０の内側横方向縁部６１４、第２の個別の基材６２０の第１の長手方向縁部６２１、及び第２の個別の基材６２０の第２の長手方向縁部６２２から成る周囲により囲まれた領域である。この領域は２層の基材を含むため、第１の二重層領域６４０と呼ばれる。第２の個別の基材６２０と第３の個別の基材６３０との間の重なりは、上面図から、第２の個別の基材６２０の第２の横方向縁部６２４、第３の個別の基材６３０の内側横方向縁部６３３、第２の個別の基材６２０の第１の長手方向縁部６２１、及び第２の個別の基材６２０の第２の長手方向縁部６２２から成る周囲により囲まれた領域であり、第２の二重層領域６５０と呼ばれる。第１の二重層領域６４０及び第２の二重層領域６５０は、多要素トップシート６００の基材の二重層を形成するために追加される。
【００５６】
第１の二重層領域の横方向の幅と第２の二重層領域の横方向の幅とは、同一であってもよい。第１の二重層領域６４０の横方向の幅と第２の二重層領域６５０の横方向の幅とは、同一であってもよい。図３〜図５に示される非限定的な実施形態を参照すると、第１の個別の基材の横方向の幅、すなわち、第１の個別の基材６１０の外側横方向縁部６１３と内側横方向縁部６１４との間の距離は、約２０ｍｍ〜約７０ｍｍであり得る。第１の個別の基材６１０の外側横方向縁部６１３と第２の個別の基材６２０の第１の横方向縁部６２３との間の距離は、約１６ｍｍ〜約６６ｍｍであり得る。第１の二重層領域の横方向の幅、すなわち、第２の個別の基材６２０の第１の横方向縁部６２３と第１の個別の基材６１０の内側横方向縁部６１４との間の距離は、約４ｍｍ〜約２４ｍｍであり得る。
【００５７】
図３及び図４に示されるように、多要素トップシート６００並びにレッグカフ３４０１及び３４０２を有する吸収性物品の実施形態の身体に面する側面の上面図を見ると、第２の個別の基材６２０は、第１の個別の基材６１０及び第３の個別の基材６３０の上方に配置されている。したがって、第１の個別の基材６１０と第２の個別の基材６２０との間の重なりは、第１の個別の基材の身体に面する側面に接触する、第２の個別の基材の衣類に面する側面を含む。同様に、第３の個別の基材６３０と第２の個別の基材６２０との間の重なりは、第３の個別の基材の身体に面する側面に接触する、第２の個別の基材の衣類に面する側面を含む。あるいは、図５に示されるように、多要素トップシート６００並びにレッグカフ３４０１及び３４０２を有する吸収性物品の実施形態では、第２の個別の基材６２０は、第１の個別の基材６１０及び第３の個別の基材６３０の下方に配置され得る。したがって、第１の個別の基材６１０と第２の個別の基材６２０との間の重なりは、第１の個別の基材の衣類に面する側面に接触する、第２の個別の基材の身体に面する側面を含む。同様に、第３の個別の基材６３０と第２の個別の基材６２０との間の重なりは、第３の個別の基材の衣類に面する側面に接触する、第２の個別の基材の身体に面する側面を含む。
【００５８】
第１の個別の基材６１０、第２の個別の基材６２０、及び／又は第３の個別の基材６３０は、本明細書で詳述される三次元基材のうちの任意の１つ以上で構成されてもよい。いくつかの実施形態では、第２の個別の基材６２０は、本明細書で詳述される三次元基材の実施形態で構成され、第１の個別の基材６１０と第３の個別の基材６３０の両方は、表面改質を有さない従来のトップシート材料から作製される。いくつかの実施形態では、第１の個別の基材６１０と第３の個別の基材６３０の両方が同一の材料で構成されるが、他の実施形態では、第１の個別の基材と第２の個別の基材とは、異なる材料で構成されてもよい。
【００５９】
多要素トップシート６００のいくつかの実施形態では、第１の個別の基材６１０と第２の個別の基材６２０及び／又は第３の個別の基材６３０との間に色差が存在してもよい。
【００６０】
いくつかの実施形態では、基材の単一層は、多要素トップシートの総面積の約８０％以上であり得、基材の二重層は、多要素トップシートの総面積の約２０％以下であり得る。他の実施形態では、基材の単一層は、多要素トップシートの総面積の約７０％以上、約７５％以上、約８５％以上、約９０％以上、又は約９５％以上であり得、基材の二重層は、多要素トップシートの総面積の約３０％以下、約２５％以下、約１５％以下、約１０％以下、又は約５％以下であり得る。
【００６１】
図６〜図１１は、本開示による吸収性物品の実施形態の上面概略図及び断面概略図を示す。本発明の例示及び説明の便宜上、多要素トップシート及びレッグカフの一部のみが例示され、吸収性物品の他の要素及び／又は層は省略されている。
【００６２】
多要素トップシート７００は、第１の個別の基材７１０、及び第２の個別の基材７２０、及びいくつかの実施形態（例えば、図８〜図１１）では任意で、第３の個別の基材７３０を含んでもよい。基材は、当該技術分野において既知の任意の方法（機械的結合、水流交絡、エンボス加工、接着剤結合、圧着結合、熱接合、超音波ボンディング、又は複数の個別の基材を接合する他の方法）によって、いくつかの特定の実施形態では、機械的結合７６１、７６２によって接合される。多要素トップシート７００は、トップシートのより長い全体寸法（この場合、ＭＤ又は機械方向）に延びる長手方向軸線７０１、及び長手方向軸線に垂直に延びる横方向軸線７０２を有する。多要素トップシート７００は、第１の長手方向縁部７０３と第２の長手方向縁部７０４と第１の横方向縁部７０５と第２の横方向縁部７０６によって画定される外周全体を有し得る。第１の個別の基材は、第１の長手方向縁部７１１と第２の長手方向縁部７１２と第１の横方向縁部７１３と第２の横方向縁部７１４とによって画定される外周を有し得る。第１の個別の基材は、第１の長手方向縁部７１５と第２の長手方向縁部７１６と第１の横方向縁部７１７と第２の横方向縁部７１８とによって画定される内周を有し得る。第２の個別の基材は、第１の長手方向縁部７２１と第２の長手方向縁部７２２と第１の横方向縁部７２３と第２の横方向縁部７２４とによって画定される外周を有し得る。第２の個別の基材は、第１の長手方向縁部７２５と第２の長手方向縁部７２６と第１の横方向縁部７２７と第２の横方向縁部７２８とによって画定される内周を有し得る。第３の個別の基材７３０を含む実施形態では、第３の個別の基材は、第１の長手方向縁部７３１と第２の長手方向縁部７３２と第１の横方向縁部７３３と第２の横方向縁部７３４とによって画定される周囲を有し得る。
【００６３】
第１の個別の基材７１０の外周は、多要素トップシート７００の外周全体の約８０％以上を形成してもよく、第２の個別の基材７２０の外周の約８０％以上は、第１の個別の基材の一部分と接合されてもよい。いくつかの実施形態では、第１の個別の基材７１０の外周は、多要素トップシート７００の外周全体の約７０％以上、約７５％以上、約８５％以上、約９０％以上、約９５％以上、又は１００％であり得る。いくつかの実施形態では、第２の個別の基材７２０の外周の約７０％以上、約７５％以上、約８５％以上、約９０％以上、約９５％以上、又は１００％は、第１の個別の基材７１０の一部分と接合されてもよい。
【００６４】
いくつかの実施形態では、第１の個別の基材７１０及び／又は第２の個別の基材７２０の第１及び／又は第２の長手方向縁部は、多要素トップシート７００の長手方向縁部７０３、７０４と共通になる。いくつかの実施形態では、第１の個別の基材７１０、第２の個別の基材７２０、及び／又は第３の個別の基材７３０の第１及び／又は第２の横方向縁部は、多要素トップシート７００の横方向縁部７０５、７０６と共通になる。図６〜図１０の非限定的な実施形態では、多要素トップシート７００の長手方向縁部７０３及び７０４は、第１の個別の基材７１０の長手方向縁部７１１及び７１２とそれぞれ共通である。
【００６５】
図６〜図１０では、多要素トップシート７００の横方向縁部７０５及び７０６は、第１の個別の基材７１０の横方向縁部７１３及び７１４とそれぞれ共通である。図１１の非限定的な実施形態では、多要素トップシート７００の長手方向縁部７０３は、第１の個別の基材７１０の長手方向縁部７１１と共通であり、多要素トップシート７００の長手方向縁部７０４は、第１及び第２の個別の基材の長手方向縁部７１２及び７２２と共通である。図１１では、多要素トップシート７００の横方向縁部７０５及び７０６は、第１の個別の基材７１０の横方向縁部７１３及び７１４とそれぞれ共通である。
【００６６】
図６〜図１１に示される実施形態を依然として参照すると、第１の個別の基材７１０と第２の個別の基材７２０との間の重なりは、多要素トップシート７００の基材の二重層であり、基材の二重層ではない多要素トップシート７００の領域は、基材の単一層として画定される。非限定的な例として、図６及び図７に示される実施形態を利用して、第１の単一層領域が１２０ｃｍ２であり第２の単一層領域が８０ｃｍ２である場合、多要素トップシート７００の基材の単一層は、２００ｃｍ２である。
【００６７】
図８〜図１０に示される第３の個別の基材７３０を有する多要素トップシート７００の実施形態をここで参照すると、多要素トップシート７００は、第１の個別の基材７１０と第２の個別の基材７２０との間、及び第２の個別の基材７２０と第３の個別の基材７３０との間に重なりを有する。
【００６８】
図６〜図１１に示される非限定的な実施形態を参照すると、多要素トップシート７００は、長手方向軸線７０１に沿って対称であり得る。第１の個別の基材７１０の第１の横方向縁部７０５と第１の個別の基材７１０の内周第１の横方向縁部７１７との間の距離は、約２０ｍｍ〜約７０ｍｍであり得る。第１の個別の基材７１０の第１の横方向縁部７１３と第２の個別の基材７２０の第１の横方向縁部７２３との間の距離は、約１６ｍｍ〜約６６ｍｍであり得る。第２の個別の基材７２０の第１の横方向縁部７２３と第２の個別の基材７２０の第２の横方向縁部７２４との間の距離は、約４０ｍｍ〜約１２０ｍｍであり得る。第２の個別の基材７２０の第１の横方向縁部７２３と第１の個別の基材７１０の内周第１の横方向縁部７１７との間の距離は、約４ｍｍ〜約２４ｍｍであり得る。
【００６９】
第１の個別の基材７１０、第２の個別の基材７２０、及び／又は任意の第３の個別の基材７３０は、三次元基材で構成されてもよい。いくつかの実施形態では、第２の個別の基材７２０は、三次元基材のうちの任意の１つ以上で構成される。
【００７０】
上から見た場合に、多要素トップシート６００、７００は、第１の個別の基材６１０、７１０と第２の個別の基材７２０との間に（ある特定の実施形態では、第２の個別の基材と第３の個別の基材６３０、７３０との間に）１つ以上の形状、パターン、又は他の異なる目に見える境界面を有し得る。
【００７１】
多要素トップシート６００、７００のいくつかの実施形態では、１つ以上の弾性体は、第１の個別の基材と第２の個別の基材との間の重なりに、及び／又は第２の個別の基材と第３の個別の基材との間の重なりに配置されてもよい。
【００７２】
いくつかの実施形態では、多要素トップシート６００、７００は、捕捉層、分配層、吸収層などの追加の吸収性物品の要素と組み合わされてもよい。
【００７３】
トップシート及びレッグカフの配置
本発明による吸収性物品は、多要素トップシートと一対のレッグカフとを備える。トップシートは、長手方向に内側横方向縁部を有する第１の個別の基材と、第２の個別の基材と、長手方向に内側横方向縁部を有する第３の個別の基材と、を含み、少なくとも部分的に第２の個別の基材は、第１の個別の基材と第３の個別の基材との間に配置され、その結果、第１及び第２の個別の基材の内側横方向縁部は、第２の個別の基材と少なくとも部分的に重なり合い、第２の個別の基材は、第１の結合ゾーンにおいて第１の個別の基材に接合され、第２の個別の基材は、第２の結合ゾーンにおいて第３の個別の基材に接合される。レッグカフは、トップシートの長手方向軸線の両側に、少なくとも部分的に吸収性物品の前縁部と後縁部との間に延在し、第１及び第２のレッグカフは、トップシート及び／又はバックシートに接合され、第１のレッグカフは、長手方向に第１の自由端縁部を有し、第２のレッグカフは、長手方向に第２の自由端縁部を有する。吸収性物品では、第１の自由端縁部と第２の自由端縁部との間の距離は、平らに広げた状態では、第１の結合ゾーンの内側縁部と第２の結合ゾーンの内側縁部との間の距離よりも長くない。又は、本発明の吸収性物品では、第１の自由端縁部と第２の自由端縁部との間の距離は、平らに広げた状態では、第１の個別の基材の内側横方向縁部と第３の個別の基材の内側横方向縁部との間の距離よりも長くない。
【００７４】
本発明の吸収性物品である吸収性物品がトップシートと吸収性コアとの間に捕捉層及び分配層などの追加層を更に備える場合、追加層は、追加層の横方向縁部が第１の個別の基材の内側横方向縁部及び第２の個別の基材の内側横方向縁部の外側に位置するように配置され得る。
【００７５】
いくつかの実施形態では、図３〜図５を参照すると、本開示による吸収性物品は、第１の個別のトップシート６１０、第２の個別の基材６２０及び第３の個別の基材６３０を含む多要素トップシート６００と、第１の自由端縁部６６０１を有する第１のレッグカフ３４０１と、第２の自由端縁部６６０２を有する第２のレッグカフ３４０２と、を備える。一実施形態では、第１の自由端縁部６６０１と第２の自由端縁部６６０２との間の距離Ｗ３は、平らに広げた状態では、第１の結合ゾーン６１９の内側縁部と第２の結合ゾーン６２９の内側縁部との間の距離Ｗ１よりも長くない。Ｗ３は、Ｗ１よりも約８ｍｍ〜１２ｍｍ短くてもよい。第１の結合ゾーン６１９及び第２の結合ゾーン６２９は、長手方向に内側縁部を有する。第１の結合ゾーン６１９及び第２の結合ゾーン６１２のそれぞれの内側縁部は、トップシートの長手方向軸線により近接している結合ゾーンの長手方向の縁部を意味する。結合ゾーン６１９、６２９が複数の結合部を有する場合、結合ゾーンの内側縁部は、トップシート６００の長手方向軸線に最も近接する結合部の内側縁部を意味する。結合ゾーン６１９、６２９の幅は、それぞれ、以下に説明する第１の二重層領域６４０及び第２の二重層領域６５０の幅と同一か又は短くてもよい。他の実施形態では、図３〜図５を依然として参照すると、第１のレッグカフ３４０１の第１の自由端縁部６６０１と第２のレッグカフ３４０２の第２の自由端縁部６６０２との間の距離Ｗ３は、平らに広げた状態では、第１の個別の基材６１０の内側横方向縁部６１４と第３の個別の基材６３０の内側横方向縁部６３３との間の距離Ｗ２よりも長くない場合がある。
【００７６】
いくつかの他の実施形態では、図６、図７、及び図１１を参照すると、本発明による吸収性物品は、第１の個別のトップシート７１０及び第２の個別の基材７２０を含む多要素トップシート７００と、第１の自由端縁部６６０１を有する第１のレッグカフ３４０１と、第２の自由端縁部６６０２を有する第２のレッグカフ３４０２と、を備える。一実施形態では、第１の自由端縁部６６０１と第２の自由端縁部６６０２との間の距離Ｗ３は、平らに広げた状態では、第１の結合ゾーン７１９の内側縁部と第２の結合ゾーン７２９の内側縁部との間の距離Ｗ１よりも長くない。他の実施形態では、図６及び図７を依然として参照すると、第１のレッグカフ３４０１の第１の自由端縁部６６０１と第２のレッグカフ３４０２の第２の自由端縁部６６０２との間の距離Ｗ３は、平らに広げた状態では、第１の個別の基材７１０の内周第１の横方向縁部７１７と内周第２の横方向縁部７１８との間の距離Ｗ２よりも長くない場合がある。図３〜図５に関して開示される結合ゾーンについての説明もまた、図６、図７、及び図１１に当てはまる。
【００７７】
いくつかの他の実施形態では、図８〜図１０を参照すると、本発明による吸収性物品は、第１の個別のトップシート７１０、第２の個別の基材７２０及び第３の個別の基材７３０を含む多要素トップシート７００と、第１の自由端縁部６６０１を有する第１のレッグカフ３４０１と、第２の自由端縁部６６０２を有する第２のレッグカフ３４０２と、を備える。第１の個別の基材７１０は、第１の結合ゾーン７１９において第２の個別の基材７２０に接合され、かつ長手方向軸線を中心として、第１の結合ゾーン７１９と反対側の第２の結合ゾーン７２９に接合され、第２の個別の基材７２０は、第３の結合ゾーン７３９において第３の個別の基材７３０に接合され、かつ長手方向軸線を中心として、第３の結合ゾーン７３９と反対側の第４の結合ゾーン７４９に接合される。一実施形態では、第１の自由端縁部６６０１と第２の自由端縁部６６０２との間の距離Ｗ３は、平らに広げた状態では、第１の結合ゾーン７１９の内側縁部と第２の結合ゾーン７２９の内側縁部との間の距離Ｗ１よりも長くない。又は、第１の自由端縁部６６０１と第２の自由端縁部６６０２との間の距離Ｗ３は、平らに広げた状態では、第１の個別の基材７１０の内周第１の横方向縁部７１７と内周第２の横方向縁部７１８との間の距離Ｗ２よりも長くない。他の実施形態では、図８及び図９を依然として参照すると、第１のレッグカフ３４０１の第１の自由端縁部６６０１と第２のレッグカフ３４０２の第２の自由端縁部６６０２との間の距離Ｗ４は、平らに広げた状態では、第１の個別の基材７２０の内周第１の横方向縁部７２７と内周第２の横方向縁部７２８との間の距離Ｗ２よりも長くない場合がある。図３〜図５に関して開示される結合ゾーンについての説明もまた、図８〜図１０に適用される。
【００７８】
図１２、図１３Ａ、及び図１３Ｂを参照すると、吸収性物品８０２上に多要素トップシート８００及びレッグカフ３４０１、３４０２が示されている。図１２は、着用者に面する表面が図を見る人に面している、吸収性物品８０２の斜視図である。図１３Ａ及び図１３Ｂは、吸収性物品８０２の一部分の拡大上面図である。図１２及び図１３Ａに示されるように、レッグカフ３４０１及び３４０２は、吸収性物品の長手方向軸線に向かって延在し、その結果、多要素トップシート内の結合領域は、平らに広げた状態では、ユーザーによって知覚されない。図１３Ｂは、多要素トップシート８００の第２の個別の基材８２０が第３の個別の基材８１０と第２の個別の基材８２０の第１の横方向縁部８２３とを接合する結合ゾーン８１９を露出させたときの吸収性物品８０２の一部分の上面図を示している。
【００７９】
他の実施形態では、吸収性物品がトップシートの下に捕捉層を有する場合、一対のレッグカフの２つの自由端縁部間の距離は、吸収性物品が折り畳まれていないときの吸収性物品の平面図における、レッグカフの２つの自由端縁部間の距離よりも短い。
【００８０】
本発明に好適な多要素トップシートの任意の部分は、当該技術分野で一般に開示されているローション、スキンケア組成物、及び／又は抗菌剤でローション領域をコーティングしてもよい。第１の結合領域の内側結合縁部と、ローション領域の、第１の結合領域の内側結合縁部に隣接する横方向縁部との間の距離は、少なくとも４ｍｍであり得る。ローションがレッグカフの自由端縁部に近接しすぎて位置する場合、ローションは、自由端縁部付近のレッグカフ内の弾性要素を接着するのに使用される接着剤を溶解し得る。
【００８１】
顧客が吸収性物品を広げたときに、全体的な材料の一体性を提供するために、トップシート及びレッグカフの材料の坪量及び／又は不透明度を慎重に決定することができる。一実施形態では、第１の個別の基材の坪量がＢＦであり、第２の個別の基材の坪量がＢＳであり、レッグカフの坪量がＢＬである場合、ＢＳとＢＳ＋ＢＬとの差は、約１５ｇｓｍ以下である。例えば、第２の個別の基材の坪量は、約２０〜５０ｇｓｍであり、第１の個別の基材及びレッグカフの全坪量は、約２７〜４２ｇｓｍである。
【００８２】
他の実施形態では、第１の個別の基材の不透明度がＯＦであり、第２の個別の基材の不透明度がＯＳであり、レッグカフの不透明度がＯＬである場合、ＯＳとＯＦ＋ＯＬとの差は、約１０（２０）％以下である。
【００８３】
不透明度の測定
不透明度は、Ｕｎｉｖｅｒｓａｌ  Ｓｏｆｔｗａｒｅを実行するＨｕｎｔｅｒＬａｂ  ＬａｂＳｃａｎ  ＸＥ（Ｈｕｎｔｅｒ  Ａｓｓｏｃｉａｔｅｓ  Ｌａｂｏｒａｔｏｒｙ  Ｉｎｃ．，Ｒｅｓｔｏｎ，ＶＡ，ＵＳから入手可能）などの、コンピュータインターフェースを備えた０°照明／４５°検出、周方向の光学的形状の分光光度計を使用して測定してもよい。機器の校正及び測定は、供給メーカーによって提供されている標準白黒校正プレートを使用して行う。全ての試験は、約２３±２℃及び相対湿度約５０±５％で維持された室内で行う。
【００８４】
基準に設定されたＵＶフィルタと共に、分光光度計は、ＸＹＺカラースケール、Ｄ６５光源、１０°標準観測者に対して構成される。機器は、供給メーカーの手順に従って４４．４５ｍｍ（１．７５０インチ）の視野域を使用して標準化する。校正後、ソフトウェアはＹ不透明度手順に設定され、これは測定中に白又は黒のいずれかの校正タイルで試料を覆うようにオペレータを促す。
【００８５】
試験片を得るには、試料をベンチの上に平らに、身体に面する表面を下向きに置き、試料の１０１．６ｍｍ×１０１．６ｍｍ部分を解析用にハサミで切り取る。試料が複合材料である場合には、これらを重ね合わせて試験片を得る。試験前に、２３℃±２℃、及び５０％±５％の相対湿度で２時間、試料を予め調整する。
【００８６】
試験片を測定ポート上に置く。試験片は、ポートに向けられた物品の衣類に面する表面に対応する表面で、ポートを完全に覆うべきである。試験片を、白色標準プレートで覆う。読み取りを行った後、試験片を動かすことなく、白色タイルを取り除き、黒色標準タイルに置き換える。２度目の読み取り値を取得し、不透明度を以下のように計算する。
不透明度＝（Ｙ値（黒色裏材）／Ｙ値（白色裏材））×１００
【００８７】
合計３つの同一材料又は組み合わせた材料は、解析され、材料の不透明度結果が記録される。平均不透明度計算して、を０．１％単位で報告する。
【００８８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００８９】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９０】
本開示の特定の実施形態が図示及び説明されたが、本開示の趣旨及び範囲から逸脱することなく様々な他の変更及び修正を行い得ることは、当業者には明白であろう。したがって、本開示の範囲内に属する全てのこのような変更及び修正は、添付の特許請求の範囲にて網羅することを意図したものである。
【図１】
2020509866.tif 000003
【図２】
2020509866.tif 000004
【図３】
2020509866.tif 000005
【図４】
2020509866.tif 000006
【図５】
2020509866.tif 000007
【図６】
2020509866.tif 000008
【図７】
2020509866.tif 000009
【図８】
2020509866.tif 000010
【図９】
2020509866.tif 000011
【図１０】
2020509866.tif 000012
【図１１】
2020509866.tif 000013
【図１２】
2020509866.tif 000014
【図１３Ａ】
2020509866.tif 000015
【図１３Ｂ】
2020509866.tif 000016
【国際調査報告】
2020509866.tif 000017
2020509866.tif 000018
2020509866.tif 000019